(57)【要約】【課題】間接活線工事において容易に電線に装着可能なジャバラポリ管等の電線管（例えば、電線防護管）を提供する。【解決手段】電線防護管２１は、間接活線工事の際、電線に装着され、絶縁弾性材料で成形された本体管部２２と、本体管部２２の長手方向に沿って本体管部２２に形成された切り込み部２５と、本体管部２２の表面に形成され電線を挿入する際に用いられる電線防護管挿入用工具によって把持される把持体（係止片）２６とを有する。【選択図】図１
2008079405.tif 000002
【特許請求の範囲】
【請求項１】
間接活線工事の際、電線の存在を喚起するため前記電線に装着される電線管であって、
絶縁弾性材料で成形された本体管部と、
該本体管部の長手方向に沿って前記本体管部に形成された切り込み部と、
前記本体管部の表面に形成され前記電線を挿入する際に用いられる電線管挿入用工具によって把持される把持体とを有することを特徴とする電線管。
【請求項２】
前記把持体は前記長手方向に沿って所定の間隔をおいて複数形成されていることを特徴とする請求項１記載の電線管。
【請求項３】
前記電線管挿入用工具は一対の先端を有するヤットコであり、
前記把持体は前記ヤットコの先端をそれぞれ係止する一対の係止片を有し、
前記係止片は前記切り込み部に対して対称に前記本体管部の表面に形成されていることを特徴とする請求項１又は２記載の電線管。
【請求項４】
前記係止片は半リング形状であり、その開口端が前記本体管部の表面に一体的に取り付けられていることを特徴とする請求項３記載の電線管。
【請求項５】
前記係止片は前記長手方向に交差する方向に前記係止片と前記本体管部とによって規定される空間が開口していることを特徴とする請求項４記載の電線管。
【発明の詳細な説明】
【技術分野】
【０００１】
本発明は、間接活線工事において、架空配電線等の電線の存在を喚起するため電線に取り付けられ電線管に関し、特に電線を防護するための電線防護管（例えば、ジャバラポリ管）に関するものである。
【背景技術】
【０００２】
一般に、直接活線工事において、架空配電線（以下単に電線と呼ぶ）にジャバラポリ管等の電線防護管を取り付ける場合、図８〜図１０に示す工法が用いられる。ジャバラポリ管に電線を挿入する際には、後述する挿入管及びガイドクリップが用いられ、まず、図８に示すように、ジャバラポリ管１１の開口端に挿入管１２が挿入される。
【０００３】
ジャバラポリ管１１はその周面が蛇腹形状となっており、長手方向に沿って切り込み部１１ａが形成され、この切り込み部１１ａから電線（図８には示さず）がジャバラポリ管１１に挿入される。上述の切り込み部１１ａは、ジャバラポリ管１１が電線から脱落するのを防止するため通常は閉じた状態にあり、ジャバラポリ管１１に電線を挿入するに当たって、ジャバラポリ管１１の内径よりもその外形が大きい挿入管１２をジャバラポリ管１１の開口端に挿入して、前述の切り込み部１１ａを開く必要がある。
【０００４】
続いて、電線（例えば、縁線）１３にガイドクリップ１４を取り付けた後（図９参照）、図１０に示すように、ガイドクリップ１４で電線１３を案内しつつ、図中右側から切り込み部１１ａを介して電線１３をジャバラポリ管１１に挿入して、電線１３にジャバラポリ管１１を取り付ける。
【０００５】
一方、間接活線工事において、電線にジャバラポリ管を取り付ける際には、例えば、ヤットコ等所要の間接活線把持工具によってジャバラポリ管の切り込み部を開いて電線にジャバラポリ管を取り付けるようにしている（例えば、特許文献１参照）。
【特許文献１】特開２００４−３２０９６１号公報
【発明の開示】
【発明が解決しようとする課題】
【０００６】
ところで、間接活線工事において、電線にジャバラポリ管を取り付ける際には、ヤットコ等の工具を用いてジャバラポリ管の切り込み部を開いて、この切り込み部から電線をジャバラポリ管に挿入しているものの、一般にヤットコはその把持部（レバー）を握ると先端側（作用部側）が閉じる構成であるため、ヤットコの先端部をジャバラポリ管の開口端から挿入してジャバラポリ管の切り込み部を開くことは、極めて困難である。
【０００７】
つまり、ヤットコの先端部をジャバラポリ管の開口端に挿入してヤットコの把持部を開く方向に力を加えて、ヤットコの作用部側を開いて、これによってジャバラポリ管の切り込み部を開くことは極めて難しく、間接活線工事において、電線にジャバラポリ管を取り付ける際の手間が掛かってしまうという課題がある。
【０００８】
従って、本発明の目的は、間接活線工事において容易に電線に装着可能なジャバラポリ管等の電線管を提供することにある。
【課題を解決するための手段】
【０００９】
本発明による電線防護管は、間接活線工事の際、電線の存在を喚起するため前記電線に装着され、絶縁弾性材料で成形された本体管部と、該本体管部の長手方向に沿って前記本体管部に形成された切り込み部と、前記本体管部の表面に形成され前記電線を挿入する際に用いられる電線管挿入用工具によって把持される把持体とを有することを特徴とするものである。
【００１０】
本発明の電線管では、前記把持体は前記長手方向に沿って所定の間隔をおいて複数形成されている。
【００１１】
本発明の電線管においては、前記電線管挿入用工具は一対の先端を有するヤットコであり、前記把持体は前記ヤットコの先端をそれぞれ係止する一対の係止片を有し、前記係止片は前記切り込み部に対して対称に前記本体管部の表面に形成されている。
【００１２】
本発明の電線管では、前記係止片は半リング形状であり、その開口端が前記本体管部の表面に一体的に取り付けられている。
【００１３】
本発明の電線管では、前記係止片は前記長手方向に交差する方向に前記係止片と前記本体管部とによって規定される空間が開口している。
【発明の効果】
【００１４】
以上のように、本発明によれば、本体管部の表面に把持体を形成したので、電線管挿入用工具でこの把持体を把持すれば、電線管の切り込み部を容易に開くことができ、その結果、間接活線工事において容易に電線に電線防護管を装着できるという効果がある。
【００１５】
本発明によれば、把持体を長手方向に沿って所定の間隔をおいて複数形成するようにしたので、いずれの位置においても切り込み部を開くことができるという効果がある。
【００１６】
本発明によれば、把持体がヤットコの先端をそれぞれ係止する一対の係止片を有し、係止片を切り込み部に対して対称に本体管部の表面に形成するようにしたので、ヤットコの先端を係止片に係止した際、切り込み部に対して開く方向への力を作用させやすく、容易に電線管を開くことができるという効果がある。
【００１７】
本発明によれば、半リング状の係止片を、長手方向に交差する方向に係止片と本体管部とによって規定される空間が開口するように、本体管部の表面に形成しているので、ヤットコの先端を上記の空間に挿入しやすく、容易に電線管を開くことができるという効果がある。
【発明を実施するための最良の形態】
【００１８】
以下、本発明の実施形態による電線管の一例について図面を参照して説明する。なお、間接活線工事においては、電線の存在を喚起する電線管が電線に装着されるが、ここでは、一例として電線の存在を喚起するとともに、電線を防護する電線防護管について説明する。まず、図１を参照して、間接活線工事が行われる箇所について説明する。図１（ａ）は電柱を側方から見た図、図１（ｂ）は電柱を正面から見た図である。電柱３１はその高さが、例えば、約１２メートルであり、その頂部付近には高圧引下線引留金物３２が取り付けられており、その下側には電線支持具（４線用）３３が取り付けられている。
【００１９】
さらに、電柱３１には、低圧引上線３４及び高圧引下線３５が配設され、高圧カットアウト支持アーム３６には変圧器３７が配置されて、この変圧器２７は変圧器取付バンド３７ａによって電柱３１に固定されている。そして、高圧引下線３５は高圧カットアウト３８を介して変圧器３７に引き込まれ、変圧器３７から低圧引上線３４が引き上げられて、引込み線３９に連結される。なお、変圧器３７の下側には、引込専用腕金４０が配設され、電柱３１には、高圧カットアウト操作用足場４０ａが設けられている。
【００２０】
ところで、間接活線工事において、電線、例えば、高圧引下線３５及び引込み線３９にジャバラポリ管を取り付ける際には、図８〜図１０を用いて説明した直接活線工法で用いられた挿入管及びガイドクリップを使用することはできない。このため、ここでは、次に説明するジャバラポリ管を用いて、ヤットコで容易にジャバラポリ管の切り込み部を開くことができるようにした。なお、以下の説明では、本発明の実施の形態によるジャバラポリ管を符号２１で示すことにする。また、ジャバラポリ管２１に限らず、長手方向に切り込み部が形成された絶縁弾性体の電線管であれば同様にして本発明を適用できる。
【００２１】
図２は本発明の実施の形態によるジャバラポリ管２１の一例を示す斜視図であり、図３は図２に示すジャバラポリ管２１を上方から見た平面図である。図２及び図３を参照すると、ジャバラポリ管２１は、本体管部２２と本体管部２２と一体的に成形された一対の鍔部２３及び２４とを有している。一対の鍔部２３及び２４は本体管部２２の長手方向に沿って形成され、鍔部２３及び２４は通常互いに当接している（これら鍔部２３及び２４によって切り込み部２５が構成される）。
【００２２】
つまり、図２に示すように、本体管部２２は、蛇腹面２２ａを有する部材を管状としたものであり、本体管部２２の長手方向一端に沿って鍔部２３が形成され、長手方向他端近傍の本体管部２２の表面に長手方向に沿って鍔部２４が形成されている。そして、本体管部２２の長手方向他端は、長手方向一端とオーバラップしており（以下オーバラッブ部分と呼ぶ）、ジャバラポリ管２１は鍔部２３及び２４が密接する方向に弾性力が作用している。
【００２３】
この結果、電線をジャバラポリ管２１に挿入した後においては、鍔部２３及び２４同士が密接し、上記のオーバラップ部分の存在によってジャバラポリ管２１が電線から脱落することはない。
【００２４】
一方、間接活線工事において、ジャバラポリ管２１に電線を挿入する際には、ジャバラポリ管２１の弾性力に抗して鍔部２３及び２４を離間させて、前述のオーバラップ部分を解消し（開き）、さらに、少なくとも電線の径よりも僅かに大きく切り込み部２５を開く必要がある。ところが、間接活線工事において、ヤットコの先端部をジャバラポリ管２１の開口端部に挿入して、ヤットコによって切り込み部２５を電線が挿入できるまで開くことは極めて困難である。
【００２５】
図示の例では、ジャバラポリ管２１の切り込み部２５が容易に開けるように、本体管部２２の表面に長手方向に所定の間隔で係止片２６を形成した。この係止片２６は本体管部２２と一体的に形成されており、半リング形状をし、その両端部が本体管部２２の表面に連結された状態となっている。そして、図３に示すように、係止片２６は１８０度の角度間隔をおいて形成されて互いに対向している。つまり、互いに対向する係止片２６によって、把持体が規定されることになる。
【００２６】
図４を参照して、図４（ａ）はヤットコ４１の先端部を僅かに開いた状態で側方から示す図、図４（ｂ）はヤットコ４１の先端部を閉じた状態で側方から示す図である。ヤットコ４１は一対の作用部４２及び４３を備えており、これら作用部４２及び４３はその後端側で図中紙面の表側から裏側に延びるピン軸部材４４によって互いに連結され、これによって、後述するように、作用部４３はピン軸部材４４の回動に伴って回動する。
【００２７】
さらに、作用部４２の後端には操作レバー部４５が連結され、操作レバー部４５から延びる腕部４５ａがピン軸部材４４に連結されている。また、ピン軸部材４４にはリンク部材４６の一端が接続され、リンク部材４６の他端はピン軸部材４７によって操作レバー部４８に連結されている。
【００２８】
図示はしないが、操作レバー部４５及び４８の後端側にはそれぞれ把持レバーが連結されており、例えば、図４（ａ）に示す状態において、把持レバーを握ると、図４（ｂ）に実線矢印で示す方向に、操作レバー部４８に力が作用する。この結果、リンク部材４６が実線矢印で示す方向に引かれて、作用部４３がピン軸部材４４回りに回動し、作用部４２及び４３が閉じて、図４（ｂ）に示す状態となる（つまり、ヤットコ４１の先端部が閉じる）。
【００２９】
一方、把持レバーを開く方向に動作させると、図４（ｂ）に実線矢印で示す方向と反対方向に、操作レバー部４８に力が作用する。この結果、リンク部材４６が実線矢印で示す方向と反対方向に引かれて、作用部４３がピン軸部材４４回りに回動し、作用部４２及び４３が開かれて、図４（ａ）に示す状態となる。
【００３０】
図２及び図３で説明したジャバラポリ管２１の切り込み部２５を開く際には、ヤットコ４１を多少開いた状態で、互いに対向する係止片２６、つまり、把持体の空洞部分にそれぞれヤットコ４１の先端部、つまり、作用部４２及び４３の先端を、図３において紙面の裏側から挿入する。そして、把持レバーをさらに開く方向に動かして、作用部４２及び４３をさらに開く方向に動作させる。
【００３１】
これによって、作用部４２及び４３がそれぞれ係止片２６に引っかかり、ジャバラポリ管２１、つまり、本体管部２２に対して開く方向に力が作用する。そして、作用部４２及び４３がさらに開かれると、前述のオーバラップ部分が解消されて（開いて）、切り込み部２５が大きく開くことになる。そして、この切り込み部２５から電線が挿入される（つまり、電線にジャバラポリ管２１が装着される）。
【００３２】
上述の説明から明らかなように、上述のジャバラポリ管２１を用いれば、通常のヤットコ４１を用いて容易にジャバラポリ管２１を開くことができ、間接活線工事において容易に電線にジャバラポリ管２１を装着することができる。
【００３３】
ところで、間接活線工事で用いられるヤットコ４１は長尺であり、その先端部の幅・厚さも大きく、例えば、小さい部材を把持する際には不向きである。また、前述の係止片２６の空洞部分が小さければ、ヤットコ４１の先端部を挿入することができない場合もある。
【００３４】
そこで、このような場合には、次の取付アダプターが用いられる。図５を参照すると、図５は取付アダプターを示す斜視図であり、取付アダプター５０は筐体部５１を有しており、この筐体部５１の底外面にはラジオペンチを構成するラジオペンチ部５２が固定されている。
【００３５】
筐体部５１の一面（側面）は開放されて、挿入空間５３が規定されている。また、筐体部５１の上面には図中上方に延びるシリンダー部５４が形成され、このシリンダー部５４の内周面にはネジが切られている。そして、このシリンダー部５４にはボルト体５５が螺合され、ボルト体５５を回転すると、ボルト体５５はシリンダー部５４に沿って上下方向に移動する。
【００３６】
続いて、図６を参照すると、図６（ａ）及び（ｂ）は取付アダプター５０を開口端側から見た図であり、図６（ａ）に示す状態においては、ボルト体５５は上方に移動されており、一方、図６（ｂ）に示す状態では、ボルト体５５は下方に移動されてその先端部５５ａが挿入空間５３に突出している。
【００３７】
取付アダプター５０にヤットコ４１の先端部（作用部４２及び４３の先端）を取り付ける際には、図６（ａ）に示す状態において、取付アダプター５０の開口端から挿入空間５３にヤットコ４１の作用部４２の先端を挿入する。そして、作用部４２の先端を挿入空間５３に挿入した後、例えば、手動でボルト体５５を回転させて、図６（ｂ）に示す状態とする。つまり、ボルト体５５の先端部５５ａが挿入空間５３に突出した状態とする。
【００３８】
図６（ｂ）に示す状態にすると、作用部４２の先端はボルト体５５の先端部５５ａと筐体部５１の内底面との間で挟持されることになって、挿入空間５３から作用部４２の先端が抜けることがなくなる。同様にして、別に取付アダプターを準備して、作用部４３の先端に別の取付アダプター５０を装着する。
【００３９】
このようにして、作用部４２及び４３の先端にそれぞれ取付アダプター５０を装着して、図７に示す状態とする。つまり、図７に示すように、一対の取付アダプター５０をそれぞれヤットコ４１の先端部に取り付けて、例えば、ラジオペンチを構成するようにすればよい。
【００４０】
なお、一対の取付アダプター５０にはそれぞれラジオペンチ部５２ａ及び５２ｂが取り付けられており、これらラジオペンチ部５２ａ及び５２ｂによってラジオペンチが構成される。そして、ヤットコ４１を開けばラジオペンチも開き、ヤットコ４１を閉じればラジオペンチも閉じる。
【００４１】
このようにして、ヤットコ４１の先端に取付アダプター５０によってラジオペンチを取り付けるようにすれば、ラジオペンチによって小さい部材を把持できるばかりでなく、係止片２６の空洞部分が小さくても、ラジオペンチを挿入可能であるから、ジャバラポリ管２１を開くことができないという事態にはならない。
【図面の簡単な説明】
【００４２】
【図１】電柱の一例を示す図であり、（ａ）は側方から見た図、（ｂ）は正面から見た図である。
【図２】本発明の実施の形態による電線防護管であるジャバラポリ管の一例を示す斜視図である。
【図３】図２に示すジャバラポリ管を切り込み部側から見た図である。
【図４】図２に示すジャバラポリ管を開くために用いられるヤットコの一例を示す図であり、（ａ）はヤットコを僅かに開いた状態を示す図、（ｂ）はヤットコを閉じた状態を示す図である。
【図５】図４に示すヤットコで用いられる取付アダプターを示す斜視図である。
【図６】図５に示す取付アダプターのボルト体の動作を示す図であり、（ａ）はボルト体を上げた状態で開口端側から見た図、（ｂ）はボルト体を下げた状態で開口端側から見た図である。
【図７】一対の装着アダプターにそれぞれヤットコの先端部を挿入した状態を側方から示す図である。
【図８】直接活線工法においてジャバラポリ管の開口端に挿入管を挿入した状態を示す図である。
【図９】電線にガイドクリップを取り付けた状態を示す図である。
【図１０】ガイドクリップで電線を案内して電線にジャバラポリ管を挿入する状態を示す図である。
【符号の説明】
【００４３】
２１  ジャバラポリ管（電線防護管）
２２  本体管部
２２ａ  蛇腹面
２３，２４  鍔部
２５  切り込み部
２６  係止片
【図１】
2008079405.tif 000003
【図２】
2008079405.tif 000004
【図３】
2008079405.tif 000005
【図４】
2008079405.tif 000006
【図５】
2008079405.tif 000007
【図６】
2008079405.tif 000008
【図７】
2008079405.tif 000009
【図８】
2008079405.tif 000010
【図９】
2008079405.tif 000011
【図１０】
2008079405.tif 000012